(57)【要約】【課題】  長時間椅子に座っていても、手や頭皮等の素肌が蒸れることなく、快適にマッサージを受けることのできる椅子式マッサージ機を提供する。【解決手段】  座部２と背もたれ部３と肘当て部４を有する椅子に座った被施療者をマッサージする椅子式マッサージ機で、被施療者が接触する椅子の表面（例えば、肘当て部４の上面や被施療者の頭部を受ける枕部８）を、深さが0.5mm以上の多数のディンプル１２が形成された合成皮革１１や、高さが0.5mm以上の多数の小突部１６が形成された合成皮革１１で覆ったものである。    【効果】  ディンプル１２や小突部１６により、手や頭皮との接触面積が小さくなり、夏場でも蒸れにくくなり、快適なマッサージを受けることができる。【選択図】    図３
2007185316.tif 000002
【特許請求の範囲】
【請求項１】
座部と背もたれ部と肘当て部を有する椅子に座った被施療者をマッサージする椅子式マッサージ機において、被施療者が接触する椅子の表面には、深さが0.5mm以上の多数のディンプルが形成された合成皮革を含むことを特徴とする椅子式マッサージ機。  
【請求項２】
座部と背もたれ部と肘当て部を有する椅子に座った被施療者をマッサージする椅子式マッサージ機において、被施療者が接触する椅子の表面には、高さが0.5mm以上の多数の小突部が形成された合成皮革を含むことを特徴とする椅子式マッサージ機。
【請求項３】
前記合成皮革は、肘当て部の上面及び／又は被施療者の頭部を受ける背もたれ部の上部に用いてなる請求項1又は請求項２に記載の椅子式マッサージ機。
【請求項４】
前記合成皮革は、塩化ビニールよりなる請求項１乃至請求項３のいずれかに記載の椅子式マッサージ機。  
【発明の詳細な説明】
【技術分野】
【０００１】
本発明は、座部と背もたれ部と肘当て部を有する椅子に座った被施療者をマッサージする椅子式マッサージ機に関する。
【背景技術】
【０００２】
従来、座部と背もたれ部と肘当て部を有する椅子に座った被施療者をマッサージする椅子式マッサージ機は、特許文献１に見られるように広く知られている。座部や背もたれ部や肘当て部の上面等、被施療者が接触する部分は、合成皮革等からなるカバーで覆われているのが一般的である。
【特許文献１】特開平１０−２５８１０４号公報
【発明の開示】
【発明が解決しようとする課題】
【０００３】
合成皮革は、水分を殆ど吸収しないので、特に夏場などには人体の素肌が長時間接触していると蒸れてくる。例えば肘当て部に長時間手を載せていると、手が蒸れて不快感を覚え、マッサージ終了後、肘当て部を支えにして椅子から立ち上がる際に、手が滑りやすくなる。また、背もたれ部に頭部を長時間置いていると、頭皮が蒸れて抜け毛の原因ともなる。
【０００４】
本発明の目的は、長時間椅子に座っていても、手や頭皮等の素肌が蒸れることなく、快適にマッサージを受けることのできる椅子式マッサージ機を提供することである。
【課題を解決するための手段】
【０００５】
上記課題を解決するために、本発明は、座部と背もたれ部と肘当て部を有する椅子に座った被施療者をマッサージする椅子式マッサージ機において、被施療者が接触する椅子の表面には、深さが0.5mm以上の多数のディンプルが形成された合成皮革を含んだものである。
【０００６】
また本発明は、被施療者が接触する椅子の表面には、高さが0.5mm以上の多数の小突部が形成された合成皮革を含んだものである。
【０００７】
前記合成皮革は、例えば、肘当て部の上面及び／又は被施療者の頭部を受ける背もたれ部の上部（枕部）に用いたものである。  
【発明の効果】
【０００８】
本発明の椅子式マッサージ機によれば、多数のディンプルや多数の小突部により、被施療者の素肌との接触面積が、ディンプルや小突部のない平坦なものに比べて小さくなり、蒸れにくくなる。
【０００９】
従って、例えば肘当て部の上面を多数のディンプルや多数の小突部を有する合成皮革により構成すれば、長時間手を載せておいても手が蒸れることなく、マッサージ終了後、肘当て部を支えにして椅子から立ち上がる際に、手が滑ることもなく、快適にマッサージを受けることができる。また肘当て部上面を手で擦ると、多数のディンプルや多数の小突部により、血行促進効果を得ることもできる。
【００１０】
また例えば被施療者の頭部を受ける背もたれ部の上部（枕部）を多数のディンプルや多数の小突部を有する合成皮革により構成すれば、頭皮が蒸れるのを防止し、抜け毛の予防ができる。
【発明を実施するための最良の形態】
【００１１】
本発明の実施例を図に基づき説明する。図１は椅子式マッサージ機を示し、椅子本体１は、座部２と、座部２の後方に配備された座部に対し起倒自在な背もたれ部３と、座部の左右両側に配備された肘当て部４と、座部２の前方に配備された座部に対し回動自在なレッグレスト５と、レッグレスト５の先端に配備されたフットレスト６と、これらを支持する支持脚７を備える。背もたれ部３の上部には、頭部を支持する枕部８が配備されている。肘当て部４の側面には、マッサージ機を操作する操作器９を収納する収納袋１０が取り付けられている。
【００１２】
背もたれ部３内には、図示しないが、叩きや揉み等のマッサージを施す左右一対の揉み玉を備えたマッサージユニットが、人体の背中に沿うように上下移動自在に設けられている。またレッグレスト５やフットレスト６内には、ふくらはぎや足先を左右から押圧するエアバック（図示せず）が内蔵されている。
【００１３】
座部２や背もたれ部３等は合成皮革よりなるカバーで覆われている。合成皮革は、塩化ビニールやポリウレタン等よりなる。肘当て部４の上面も塩化ビニールやポリウレタン等よりなる合成皮革１１で覆われているが、この合成皮革１１は、座部２や背もたれ部３を覆う合成皮革が表面が滑らかであるのに対して、多数のディンプル１２が形成されている。このディンプル１２は、図２に示すように、図２に示すように、直径Ａが２ｍｍで、深さＢが0.7ｍｍであり、間隔Ｐが3.6ｍｍで多数形成されている。図において、１３は肘当て部４の枠組みを形成する合成樹脂製の枠体で、枠体１３の外周をスポンジ等の弾性体１４を介して合成皮革のカバーで覆い、合成皮革のうち枠体１３の上面を覆う合成皮革１１に多数のディンプル１２が形成されている。
【００１４】
この結果、肘当て部４上に置いた素肌（手）との接触面積が、ディンプルのない平坦なものに比べて小さくなる。従って、夏場などにおいて、長時間手を載せておいても手が蒸れにくくなり、マッサージ終了後、肘当て部４を支えにして椅子から立ち上がる際に、手が滑ることもなく、快適にマッサージを受けることができる。また肘当て部４の上面を手で擦ると、多数のディンプル１２により、血行促進効果を得ることもできる。
【００１５】
これらの効果を奏すれば、ディンプル１２の大きさ（直径や深さ）や密度や形状は上記実施例に限らず、任意に変更することができるが、ディンプルの深さが0.5ｍｍ未満になると、その効果が薄れることが、実験上判明した。ディンプルの大きさ(直径)や密度や形状は、ディンプルの深さが決定すれば、上記の効果を奏する範囲で任意に決定することができる。形状としては、円錐形の他、半球状のもの等を例示できる。
【００１６】
図１は、肘当て部４の上面をディンプル１２を有する合成皮革１１で構成したが、更に加えて、図３のように、被施療者の頭部を受ける枕部８を肘当て部上面と同様のディンプル１２を有する合成皮革１５で覆ってもよい。このようにすれば、頭皮が蒸れにくくなり、抜け毛の予防ともなる。
【００１７】
以上の実施例では、合成皮革１１にディンプル１２を形成したものであるが、ディンプルの代わりに、図４のように、小突部１６を形成してもよい。この小突部１６の形状や、大きさ（直径や高さ）や密度は、任意に決定することができるが、やはりその高さが0.5ｍｍ未満になると、効果が薄れることが、実験上判明した。小突部の大きさ(直径)や密度は、小突部の高さが決定すれば、上記の効果を奏する範囲で任意に決定することができる。
【００１８】
図５乃至図７は、肘当て部４の側面に取り付けた収納袋１０に収納した操作器９のコード１７の処理について説明したものである。
【００１９】
コード１７は、マッサージ機本体１内の制御部（図示せず）に接続され、マッサージ機本体の後方より引き出されている。ここでコード１７が肘当て部４上に位置決めされていないと、図７のように、コード１７が肘当て部４に引っ掛かり、操作器９を被施療者の手元まで引き出せない場合が生ずる。無理にコード１７を引っ張るとコードを断線することがある。
【００２０】
そのための対策として、コード１７を肘当て部４上で位置決めするためのバンド１８設けている。バンド１８は、肘当て部の上面（ディンプル１２を有する合成皮革１１）とは異なる材質の布地よりなり、図６に示すように、肘当て部４の外側面に一端が装着され（外側面を覆う合成皮革と上面の合成皮革１１との縫合部分に一緒に縫い付けられている）、他端が肘当て部４の内側面に接合される。接合は、互いに接合する面ファスナー１９、１９により行われる。
【００２１】
肘当て部４の上面１１とは異なる材質の布地より構成したことにより、バンド１８が肘当て部４の上面１１に密着することなく、コード１７の動きをスムーズに保てる。（背もたれ部３を起倒する際もコードが容易にバンド１８と肘当て部上面１１間を摺動できる）。仮にバンド１８の肘当て部の上面と接触する面が、肘当て部上面と同じ合成皮革１１であると、夏場のように暑い場合、バンド１８が肘当て部上面の合成皮革１１に密着し、コード１７の動きを妨げることがあるが、肘当て部の上面の合成皮革１１とは異なる布地より構成したことにより、このような不具合を起こすことを防止できる。
【００２２】
このようにコード１７をバンド１８により肘当て部４上で位置決めするため、コード１７が肘当て部４に引っ掛かり、操作器９を被施療者の手元まで引き出せなかったり、無理にコード１７を引っ張ることにより、断線を招くようなことを防止することができる。
【００２３】
バンド１８を、肘当て部４の上面と接触する側(内側)と反対側（外側）で素材を異ならせ、内側は、ディンプル１２を有する合成皮革１１とは異なる材質の布地とし、外側を、肘当て部の上面と同様のディンプル１２を有する合成皮革１１で構成すれば、見栄えを良くすることができる。
【００２４】
以上の説明では、ディンプル１２や小突部１６を有する合成皮革１１を、肘当て部４の上面や、背もたれ部上部の枕部８に用いたが、被施療者の素肌が接触する部分であれば、どこに用いても同様の効果を発揮できる。
【図面の簡単な説明】
【００２５】
【図１】本発明の椅子式マッサージ機の斜視図である。
【図２】同マッサージ機の肘当て部上面の拡大断面図である。
【図３】同マッサージ機の他の実施例を示す斜視図である。
【図４】同マッサージ機の肘当て部上面の他の実施例を示す拡大断面図である。
【図５】同マッサージ機の操作器コードをバンドで位置決めした状態を示す斜視図である。
【図６】操作器コードをバンドで位置決めする様子を示す要部の斜視図である。
【図７】操作器コードをバンドで位置決めしない場合を示すマッサージ機の斜視図である。
【符号の説明】
【００２６】
２    座部
３    背もたれ部
４    肘当て部
１    マッサージ機本体
１２  ディンプル
１１  合成皮革
１６  小突部
８    枕部
１５  合成皮革
【図１】
2007185316.tif 000003
【図２】
2007185316.tif 000004
【図３】
2007185316.tif 000005
【図４】
2007185316.tif 000006
【図５】
2007185316.tif 000007
【図６】
2007185316.tif 000008
【図７】
2007185316.tif 000009